(57)【特許請求の範囲】
【請求項１】
栽培用土壌が盛土された通気性と通水性とを有するフィルムを、外周面に蒸気噴出孔が穿設された蒸気配管を中心として丸めることにより、蒸気配管を土壌で取り巻き、かつ前記蒸気配管内に蒸気を導入して、前記蒸気噴出孔より噴出する蒸気により、土壌を消毒することを特徴とする土壌消毒方法。
【請求項２】
栽培床上にフィルムを敷設し、さらにその上に栽培用土壌を盛土し、その盛土により植物を栽培するとともに、適時に、前記盛土上に蒸気配管を載置し、かつ前記フィルムの両側部を持ち上げて、前記土壌を蒸気配管の周囲に寄せ集めることを特徴とする請求項１記載の土壌消毒方法。
【請求項３】
フィルムの両側端を、ほぼ水平とした蒸気配管の上方において互いに突き合わせるか、または近接させた後、係止手段により互いに係止し、消毒作業終了後に、前記係止手段を外すことを特徴とする請求項１または２記載の土壌消毒方法。
【請求項４】
消毒作業終了後、フィルムが栽培床上に展開するように、フィルムの両側部を栽培床上に降ろし、土壌中から蒸気配管を取り除いた後、フィルム上の土壌をならすことを特徴とする請求項２または３記載の土壌消毒方法。
【請求項５】
栽培床上に複数のフィルムを前後方向に並べて敷設し、さらにその上に栽培用土壌を盛土し、その盛土により植物を栽培するとともに、適時に、前記盛土上に、複数のフィルムに跨る長さの前後方向を向く蒸気配管を載置し、かつ前記各フィルムを、１枚または複数枚ずつその両側部を持ち上げて、その上の土壌を蒸気配管の周囲にほぼ円筒状に寄せ集め、全フィルム上の土壌を円筒状に丸めた後、前記蒸気配管内に蒸気を導入して、前記蒸気噴出孔より噴出する蒸気により、土壌を消毒することを特徴とする請求項１〜４のいずれかに記載の土壌消毒方法。
【請求項６】
栽培床上に複数のフィルムを左右方向に並べて敷設し、さらにその上に栽培用土壌を盛土し、その盛土により植物を栽培するとともに、適時に、前記各盛土上に、前後方向を向く蒸気配管を載置し、かつ前記各フィルムを、１枚または複数枚ずつその両側部を持ち上げて、その上の土壌を蒸気配管の周囲にほぼ円筒状に寄せ集め、全フィルム上の土壌を円筒状に丸めた後、前記蒸気配管内に蒸気を導入して、前記蒸気噴出孔より噴出する蒸気により、土壌を消毒することを特徴とする請求項１〜５のいずれかに記載の土壌消毒方法。
【請求項７】
栽培床上に敷設され、かつ上面に栽培用土壌が盛土される、通気性と通水性とを有するフィルムと、外周面に蒸気噴出孔が穿設され、かつ前記盛土上に載置される蒸気配管と、前記蒸気配管に蒸気を供給する蒸気発生装置と、前記フィルムの両側部をワイヤにより吊り上げたり吊り降ろしたりするウインチ装置とを備えることを特徴とする土壌消毒装置。
【請求項８】
ウインチ装置を、蒸気配管に沿って栽培床上を移動可能とした台枠に設けた請求項７記載の土壌消毒装置。
【請求項９】
フィルムの両側端に、蒸気配管と平行の心棒を設け、ワイヤの端末を前記心棒に掛止しうるようにした請求項７または８記載の土壌消毒装置。
【請求項１０】
前後方向に向けたフィルムの右側縁に掛止したワイヤを、蒸気配管より上方かつ左方に配設したガイドプーリに、また前記フィルムの左側縁に掛止したワイヤを、蒸気配管より上方かつ右方に配設したガイドプーリにそれぞれ掛け回して、巻取ドラムにより巻き取るようにした請求項７〜９のいずれかに記載の土壌消毒装置。
【請求項１１】
複数のフィルムを左右方向に並べて敷設した栽培床の両側部の上方に、巻取ドラムまたはガイドプーリを設け、そこから引き出したワイヤの端末を、いずれのフィルムの両側端にも着脱自在に掛止し得るようにした請求項６〜９のいずれか記載の土壌消毒装置。
【発明の詳細な説明】
【０００１】
【発明の属する技術分野】
本発明は、園芸用土壌の消毒方法、及びそれに用いられる土壌消毒装置に関する。
【０００２】
【従来の技術】
温室栽培等の園芸に用いられる従来の土壌消毒方法としては、蒸気または熱水を用いる方法と、臭化メチルその他の薬剤を用いる方法とがあるが、臭化メチル等の薬剤を用いることは、地球環境の保護の観点から使用が制限される傾向にあり、それによって、蒸気または熱水を用いる方法がクローズアップされてきている。
【０００３】
【発明が解決しようとする課題】
しかし、従来の蒸気または熱水を用いる方法では、使用頻度が少ない割りに、配管の設置等の設備費用が高くつく上、設置した配管が妨げとなる等の問題がある。
また、蒸気を用いる方法では、消毒効果が土壌の深部に行き渡りにくく、熱水を用いることは、土壌中の養分が流亡してしまう等の問題がある。
【０００４】
本発明は、従来の技術が有する上記のような問題点に鑑み、土壌全体を均一に消毒することができるとともに、設備費用が安価であり、かつ消毒時以外は、園芸作業等の妨げとならず、しかも土壌中の養分の流亡を防止し得るようにした、土壌消毒方法及び装置を提供することを目的としている。
【０００５】
【課題を解決するための手段】
本発明によると、上記課題は次のようにして解決される。
(１)土壌消毒方法において、栽培用土壌が盛土された通気性と通水性とを有するフィルムを、外周面に蒸気噴出孔が穿設された蒸気配管を中心として丸めることにより、蒸気配管を土壌で取り巻き、かつ前記蒸気配管内に蒸気を導入して、前記蒸気噴出孔より噴出する蒸気により、土壌を消毒する。
【０００６】
(２)上記(１)項において、栽培床上にフィルムを敷設し、さらにその上に栽培用土壌を盛土し、その盛土により植物を栽培するとともに、適時に、前記盛土上に蒸気配管を載置し、かつ前記フィルムの両側部を持ち上げて、前記土壌を蒸気配管の周囲に寄せ集める。
【０００７】
(３)上記(１)または(２)項において、フィルムの両側端を、ほぼ水平とした蒸気配管の上方において互いに突き合わせるか、または近接させた後、係止手段により互いに係止し、消毒作業終了後に、前記係止手段を外す。
【０００８】
(４)上記(２)または(３)項において、消毒作業終了後、フィルムが栽培床上に展開するように、フィルムの両側部を栽培床上に降ろし、土壌中から蒸気配管を取り除いた後、フィルム上の土壌をならす。
【０００９】
(５)上記(１)〜(４)項のいずれかにおいて、栽培床上に複数のフィルムを前後方向に並べて敷設し、さらにその上に栽培用土壌を盛土し、その盛土により植物を栽培するとともに、適時に、前記盛土上に、複数のフィルムに跨る長さの前後方向を向く蒸気配管を載置し、かつ前記各フィルムを、１枚または複数枚ずつその両側部を持ち上げて、その上の土壌を蒸気配管の周囲にほぼ円筒状に寄せ集め、全フィルム上の土壌を円筒状に丸めた後、前記蒸気配管内に蒸気を導入して、前記蒸気噴出孔より噴出する蒸気により、土壌を消毒する。
【００１０】
(６)上記(１)〜(５)項のいずれかにおいて、栽培床上に複数のフィルムを左右方向に並べて敷設し、さらにその上に栽培用土壌を盛土し、その盛土により植物を栽培するとともに、適時に、前記各盛土上に、前後方向を向く蒸気配管を載置し、かつ前記各フィルムを、１枚または複数枚ずつその両側部を持ち上げて、その上の土壌を蒸気配管の周囲にほぼ円筒状に寄せ集め、全フィルム上の土壌を円筒状に丸めた後、前記蒸気配管内に蒸気を導入して、前記蒸気噴出孔より噴出する蒸気により土壌を消毒する。
【００１１】
(７)土壌消毒装置において、栽培床上に敷設され、かつ上面に栽培用土壌が盛土される、通気性と通水性とを有するフィルムと、外周面に蒸気噴出孔が穿設され、かつ前記盛土上に載置される蒸気配管と、前記蒸気配管に蒸気を供給する蒸気発生装置と、前記フィルムの両側部をワイヤにより吊り上げたり吊り降ろしたりするウインチ装置とを備えるものとする。
【００１２】
(８)上記(７)項において、ウインチ装置を、蒸気配管に沿って栽培床上を移動可能とした台枠に設ける。
【００１３】
(９)上記(７)または(８)項において、フィルムの両側端に、蒸気配管と平行の心棒を設け、ワイヤの端末を前記心棒に掛止しうるようにする。
【００１４】
(10)上記(７)〜(９)項のいずれかにおいて、前後方向に向けたフィルムの右側縁に掛止したワイヤを、蒸気配管より上方かつ左方に配設したガイドプーリに、また前記フィルムの左側縁に掛止したワイヤを、蒸気配管より上方かつ右方に配設したガイドプーリにそれぞれ掛け回して、巻取ドラムにより巻き取るようにする。
【００１５】
(11)上記(７)〜(１０)項のいずれかにおいて、複数のフィルムを左右方向に並べて敷設した栽培床の両側部の上方に、巻取ドラムまたはガイドプーリを設け、そこから引き出したワイヤの端末を、いずれのフィルムの両側端にも着脱自在に掛止し得るようにする。
【００１６】
【発明の実施の形態】
以下、本発明の実施の形態を、添付図面を参照して説明する。
図１〜図５は、本発明の土壌消毒装置の第１の実施形態を示す。
【００１７】
図１に示すように、この土壌消毒装置は、栽培床(１)上に敷設され、かつ上面に栽培用土壌(２)が盛土されるようにした、通気性と通水性とを有するフィルム(３)と、外周面に多数の蒸気噴出孔(４)が穿設され、かつ盛土された土壌(２)の上面ほぼ中央に載置される蒸気配管(５)と、蒸気配管(５)に蒸気を供給する蒸気発生装置(６)と、フィルム(３)の両側部をワイヤ(７)により吊り上げたり吊り降ろしたりするウインチ装置(８)とを備えている。
【００１８】
栽培床(１)は、温室内の床や圃場等であって、土に限らず、コンクリートや板敷きのものであってもよい。
【００１９】
フィルム(３)は、寒冷紗、多数の小孔を穿設した合成樹脂製フィルム、織布、不織布等からなるものとすることができる。前後方向に長い方形または帯状としたフィルム(３)の左右の側縁部には、袋状の折り返し部(3a)が形成され、そこに、前後方向を向く心棒(９)が差し込まれ、さらに、折り返し部(3a)の適所には、心棒(９)が露呈するようにした切欠き(10)が形成されている。
フィルム(３)上に盛土された土壌(２)によって、各種の植物が栽培される。
【００２０】
蒸気配管(５)は、複数の単位配管(11)(11)を、接続管(12)により順次一直線状に接続して、長寸のものとすることができるようにするのがよく、その先端は、キャップ(13)により閉塞され、かつ基端は、可撓性の耐熱性ホース(14)を介して、直接、またはさらに分岐管(15)を介して、蒸気発生装置(６)における蒸気出口(16)に接続されている。
【００２１】
蒸気噴出孔(４)は、蒸気配管(５)の外周面に均一に配置するのがよく、少なくとも円周方向に４個以上、好ましくは８個以上を等間隔で、また長手方向になるべく短い間隔で配置するのが好ましい。
【００２２】
蒸気発生装置(６)は、台車(17)上にボイラー(18)を搭載した公知の移動型のものとするのが好ましいが、据付型のボイラーとしてもよい。
【００２３】
ウインチ装置(８)は、下端にキャスター(または車輪)(19)を備え、栽培床(１)上を少なくとも前後方向に移動可能とした正面視門型の台枠(20)に、次のようにして装着されている。
【００２４】
台枠(20)は、下端にキャスター(19)が設けられ、かつ左右に対をなすとともに、前後に並ぶ複数対の支柱(21)と、前後に並ぶ支柱(21)の上端部同士を連結する前後方向を向く左右１対のけた材(22)(22)と、両けた材(22)(22)の前端部同士、後端部同士、及び適宜の中間部による同士を連結する左右方向を向く複数のはり材(23)と、前後に並ぶ支柱(21)(21)の中間部にまたがって架設された前後方向を向く横補強杆(24)と、けた材(22)と横補強杆(24)との中間部同士を連結する上下方向を向く縦補強杆(25)と、各支柱(21)とはり材(23)との間に設けたブレース(26)とを備えている。
【００２５】
各はり材(23)の上面ほぼ中央には、前後方向を向く巻取軸(27)が、軸受(28)をもって枢支されており、巻取軸(27)には、３個の巻取ドラム(29)と、被駆動ギヤ(30)とが固嵌されている。
【００２６】
被駆動ギヤ(30)は、中間部のはり材(23)上に支持された減速機構付の正逆回転可能のモータ(31)の出力軸(図示略)に固嵌された駆動ギヤ(32)と噛合し、モータ(31)の作動により、両ギヤ(32)(30)を介して、巻取軸(27)と３個の巻取ドラム(29)とが一体となって回転させられるようになっている。
【００２７】
各巻取ドラム(29)には、それぞれ２本ずつのワイヤ(７)(７)が巻き付けられており、各ワイヤ(７)は、左右の縦補強杆(25)の内面に設けられたガイドプーリ(33)に掛け回されて、その端末に設けられたフック(34)が、フイルム(３)の遠い方の側縁における切欠き(10)に露呈している心棒(９)に掛止されている。
すなわち、フィルム(３)の右端の心棒(９)に掛止したワイヤ(７)を、蒸気配管(５)より上方かつ左方に配設したガイドプーリ(33)に、またフィルム(３)の左端の心棒(９)に掛止したワイヤ(７)を、蒸気配管(５)より上方かつ右方に配設したガイドプーリ(33)にそれぞれ掛け回して、巻取ドラム(29)により巻き取るようにしている。
【００２８】
台枠(20)の前後方向の長さは、フィルム(３)の前後方向の長さと同一か、または複数倍としておくのがよい。この例では、同一としてある。
【００２９】
巻取軸(27)、巻取ドラム(29)、ワイヤ(７)、ギヤ(30)(32)、モータ(31)、ガイドプーリ(33)等により、ウインチ装置(８)が形成されている。
【００３０】
次に、上記の装置の取り扱いとともに、本発明の土壌消毒方法の一実施要領について説明する。
図１に示すように、複数のフィルム(３)が前後方向に並べられ、かつその上に土壌(２)が平らに均されて盛土されることにより形成された畝(35)の上面中央に、複数の単位配管(11)(11)を接続管(12)により順次接続して形成した蒸気配管(５)を前後方向に向けてほぼ水平に載置する。この蒸気配管(５)の一端は、キャップ(13)により予め閉塞しておき、かつ他端は、蒸気発生装置(６)における蒸気出口(16)に、直接または分岐管(15)を介して間接的に接続された可撓性の耐熱性ホース(14)に接続しておく。
【００３１】
次いで、台枠(20)を、土壌(２)を消毒しようとする畝(35)上に跨るように移動させた後、各巻取ドラム(29)に巻き付けられたワイヤ(７)(７)を、上述のように、左右のガイドプーリ(33)から垂下する部分が、蒸気配管(５)のほぼ直上において交差するようにして、フイルム(３)の遠い方の側縁における切欠き(10)に露呈している心棒(９)に、フック(34)をもって掛止する。
【００３２】
全ワイヤ(７)を、左右の心棒(９)にそれぞれ掛止し終わった後、モータ(31)を起動し、巻取軸(27)を巻き取り方向に回転させると、ワイヤ(７)は、各巻取ドラム(29)に巻き取られ、フィルム(３)の左右の端部が一斉に持ち上げられ、フィルム(３)上の土壌(２)は、図４に示すように、蒸気配管(５)を中心として、その周りを包むように寄せ集められ、かつフィルム(３)は、蒸気配管(５)を中心として丸められることにより、蒸気配管(５)を中心として筒状に丸められる。
【００３３】
図４に示すように、フィルム(３)の左右の側端における心棒(９)(９)が、ほぼ水平の蒸気配管(５)の上方において互いに当接するか、または近接した後、両心棒(９)(９)の、好ましくは切欠き(10)内において露呈する部分同士を、図５に示すような、断面ほぼＣ状の係止手段(36)により互いに係止する。
【００３４】
係止手段(36)は、平板状の基片(37)の両端に、各心棒(９)が係合しうる半円弧状の係合部(38)(38)を備え、さらに、その一方の係合部(38)の遊端に、外向きの解除片(39)が連設された、弾性を有する金属片または合成樹脂材料からなるものとするのがよい。
【００３５】
このままの状態で、次の消毒作業を開始してもよいが、畝(35)が長い場合は、１枚(または複数枚)のフィルム(３)の左右の心棒(９)(９)の複数個所を、上述のようにして、係止手段(36)により互いに結合した後、すべてのワイヤ(７)のフック(34)を、心棒(９)から外し、次いで、台枠(20)を、１枚または複数枚のフィルム(３)の長さ分ずつ、畝(35)に沿って前後方向に移動させ、前記と同様にして、１枚または複数枚のフィルム(３)を蒸気配管(５)を中心として丸めて、左右の心棒(９)(９)の複数個所を、係止手段(36)により互いに結合し、一つの畝(35)のすべてのフィルム(３)を丸め終わった後、または、さらに隣接する他の畝(35)のすべてのフィルム(３)をも、同様にして丸め終わった後、蒸気配管(５)に接続された蒸気発生装置(６)を作動させる。
【００３６】
すると、蒸気発生装置(６)の蒸気出口(16)から、蒸気が発生し、この蒸気は、耐熱性ホース(14)、及び分岐管(15)を通って、蒸気配管(５)に供給され、そこから蒸気噴出孔(４)を通って、フィルム(３)により蒸気配管(５)の周りに筒状に丸められた土壌(２)内に均一に浸透し、土壌(２)内の病原菌、害虫、雑草等を駆除することができる。しかも、近隣の作物や人畜に悪影響を与えることはない。
【００３７】
所要時間蒸気を供給して、土壌(２)を消毒した後、すべての係止手段(36)を、その解除片(39)を近接する心棒(９)から離れる方向に押し上げることにより、心棒(９)(９)から外し、各心棒(９)を、各フィルム(３)が、図１及び図３に示すように、栽培床(１)上に展開するように、互いに左右に離して栽培床(１)上に載置し、フィルム(３)上の土壌(２)中から蒸気配管(５)を取り除いた後、フィルム(３)上の土壌(２)を平らにならす。
【００３８】
なお、畝(35)の長さを、台枠(20)の長さとほぼ同一としてもよい。
【００３９】
また、台枠(20)の長さ分毎に消毒作業を行う場合には、ワイヤ(７)を巻取ドラム(29)に巻き取って、左右の心棒(９)(９)同士が互いに近接するまでフィルム(３)を丸めた後、ワイヤ(７)を心棒(９)に係止したままの状態で、係止手段(36)を用いずに、蒸気配管(５)に蒸気を導入して、土壌の消毒作業を行い、その後、巻取ドラム(29)を逆転させて、ワイヤ(７)を巻取ドラム(29)から繰り出させ、フィルム(３)を栽培床(１)上に平らに展開させるようにしてもよい。
【００４０】
図６は、本発明の土壌消毒装置の第２の実施形態を示す。なお、第１の実施形態におけるのと同一の部材には、同一の符号を付して図示するに止め、それらについての詳細な説明は省略する。
【００４１】
この例では、栽培ハウス(40)内の栽培床(１)に、複数のフィルム(３)を左右方向に並べて敷設し、さらにその上に栽培用土壌(２)を盛土して、前後方向を向く複数列の畝(35)を形成し、各畝(35)の土壌(２)により植物を栽培するようになっている。
【００４２】
栽培ハウス(40)の支柱(41)の側面には、複数の巻取ドラム(42)を設けた前後方向を向く巻取軸(43)が、軸受(44)をもって枢支され、左右の巻取軸(43)を、図１に示すのと同様のモータ(図示略)により、互いに同期して正逆回転し得るようにするとともに、左右に対向する巻取ドラム(42)から引き出したワイヤ(７)の端末に設けたフック(34)を、いずれのフィルム(３)の両側端に設けた心棒(９)にも、着脱自在に掛止し得るようにしてある。
【００４３】
したがって、この例では、左右に並んだ３列の畝(35)のいずれか一つの土壌(２)の上に、蒸気配管(５)を載置し、その下のフィルム(３)の両側端に設けた心棒(９)(９)に、左右の巻取ドラム(42)から引き出したワイヤ(７)を蒸気配管(５)のほぼ直上で交差させて、その各端末に設けたフック(34)を係止し、左右の巻取ドラム(42)をモータにより同期して回転させることにより、第１の実施形態と同様にして、１枚のフィルム(３)を蒸気配管(５)を中心として丸め、次いで、蒸気配管(５)の上方において互いに当接または近接した左右の心棒(９)(９)同士を、上述の係止手段(36)と同様のもので互いに係止し、その後、ワイヤ(７)のフック(34)を各心棒(９)から外して、他の畝(35)のフィルム(３)の両側端に設けた心棒(９)に、上記と同様に、左右のワイヤ(７)(７)が蒸気配管(５)のほぼ直上で互いに交差するようにして、それぞれ掛け直すことにより、左右に並ぶ複数のフィルム(３)を、順次１枚ずつ(または複数枚ずつ)蒸気配管(５)を中心として丸めて行くことができる。
その後、各蒸気配管(５)に蒸気を供給する。
【００４４】
図６に示す例では、２棟の栽培ハウス(40)を、左右に並べて合体させ、かつ左右に並ぶ３本の支柱(41)の側面に巻取軸(43)をそれぞれ枢支し、中間に設けた巻取軸(43)には、左の棟用のワイヤ(７)を巻取る巻取ドラム(42)と、右の棟用のワイヤ(７)を巻取る巻取ドラム(42)とを、互いに独立して回転し得るように、それぞれクラッチ(図示略)を介して巻取軸(43)に連係してある。
したがって、左の棟用のワイヤ(７)と、右の棟用のワイヤ(７)とを、互いに異なる任意の長さだけ、巻取ドラム(42)から引き出すことができる。
【００４５】
なお、図６に示す第２の実施形態において、第１の実施形態におけるのと同様に、単一の
巻取軸(27)に設けた複数の巻取ドラム(29)からそれぞれ引き出したワイヤ(７)(７)を左右に振り分けて、左右のガイドプーリ(33)(33)に掛け回し、そこから引き出した左右のワイヤ(７)(７)を、左右に並ぶいずれのフィルム(３)の両側端に設けた心棒(９)(９)にも着脱自在に掛止し得るようにしてもよい。
【００４６】
【発明の効果】
請求項１記載の発明によると、土壌を、蒸気配管の周りに巻き付けて、蒸気配管の外周面に設けた蒸気噴出孔より噴出する蒸気により土壌を消毒するので、土壌全体を均一に消毒することができるとともに、栽培床や近隣の作物や人畜等に悪影響を与えることはなく、無害であり、しかも土壌中の養分の流亡を防止することができる。
また、蒸気配管や、フィルムを丸める手段等は、常設しておく必要がなく、消毒時に使用するだけでよいので、普段は園芸作業等の妨げとならず、しかも一組の装置を、繰り返し使用することにより、設備費用を低減することができる。
【００４７】
請求項２記載の発明によると、フィルムの両側部を持ち上げるだけで、フィルム上の栽培用土壌を蒸気配管の周囲に簡単に寄せ集めることができ、作業が容易である。
【００４８】
請求項３記載の発明によると、複数のフィルムを、１枚または複数枚ずつ蒸気配管の周りに丸めて、その両側端を係止手段により互いに係止し、最後に蒸気配管に蒸気を導入して、一気に消毒作業を行うことができるので、作業性がよい。
【００４９】
請求項４記載の発明によると、消毒後の作業が簡単であり、しかも、消毒後の作業と同時に土壌を耕起反転することができる。
【００５０】
請求項５及び６記載の発明によると、小さな設備で、消毒作業を効率よく行うことができる。
【００５１】
請求項７記載の発明によると、簡単かつ安価な設備により、栽培床や近隣の作物や人畜等に悪影響を与えることなく、土壌を均一に、かつ効率よく消毒することができるとともに、土壌中の養分の流亡を防止することができる。
また、蒸気配管や、ウインチ装置は、常設しておく必要がなく、消毒時に使用するだけでよいので、普段は園芸作業等の妨げとならず、しかもこれらの一組の装置を、繰り返し使用することにより、設備費用を低減することができる。
【００５２】
請求項８記載の発明によると、ウインチ装置を、台枠とともに蒸気配管に沿って栽培床上を移動させることにより、単一のウインチ装置により、広範囲の土壌の消毒を効率よく行うことができるとともに、設備費用を低減することができる。
【００５３】
請求項９記載の発明によると、フィルムの両側端を、広い範囲に亘って同時に容易に上下動することができるとともに、ワイヤの端末を前記心棒に掛止し易い。
【００５４】
請求項１０記載の発明によると、フィルムを、蒸気配管を中心として均一な円筒形に丸めることができる。
【００５５】
請求項１１記載の発明によると、左右のワイヤを利用して、左右方向に並べて設けられた複数のフィルムを、順次１枚ずつ丸めることができ、多数のワイヤや、その巻取ドラム等を設ける必要がなくなり、設備費用を低減することができる。
【図面の簡単な説明】
【図１】本発明の装置の第１の実施形態の前側方斜視図である。
【図２】同じく、蒸気配管と蒸気発生装置との斜視図である。
【図３】同じく、第１の実施形態の正面図である。
【図４】同じく、消毒作業中の状態の正面図である。
【図５】同じく、１対の心棒を係止手段により係止した状態を示す要部の拡大斜視図である。
【図６】本発明の装置の第２の実施形態の概略正面図である。
【符号の説明】
(１)栽培床
(２)土壌
(３)フィルム
(3a)折り返し部
(４)蒸気噴出孔
(５)蒸気配管
(６)蒸気発生装置
(７)ワイヤ
(８)ウインチ装置
(９)心棒
(10)切欠き
(11)単位配管
(12)接続管
(13)キャップ
(14)耐熱性ホース
(15)分岐管
(16)蒸気出口
(17)台車
(18)ボイラー
(19)キャスター
(20)台枠
(21)支柱
(22)けた材
(23)はり材
(24)横補強杆
(25)縦補強杆
(26)ブレース
(27)巻取軸
(28)軸受
(29)巻取ドラム
(30)被駆動ギヤ
(31)モータ
(32)駆動ギヤ
(33)ガイドプーリ
(34)フック
(35)畝
(36)係止手段
(37)基片
(38)係合部
(39)解除片
(40)栽培ハウス
(41)支柱
(42)巻取ドラム
(43)巻取軸
【図１】
0003689867.tif 000002
【図２】
0003689867.tif 000003
【図３】
0003689867.tif 000004
【図４】
0003689867.tif 000005
【図５】
0003689867.tif 000006
【図６】
0003689867.tif 000007